(57)【特許請求の範囲】
【請求項１】
画像データから刺繍縫いデータを得るための刺繍模様入力装置であって、
色に対応する形状的な判別表示を有する原画の画像データを与えるための手段と、
前記判別表示毎に前記画像データを分離する手段と、
該分離された各画像データに対する縫い色を指定する手段と、
前記画像データを縫い目データに変換する手段と、
該変換された縫い目データを前記指定された縫い色に関連して記憶する手段と、を備え、
前記判別表示が、塗りつぶし、点、点の濃淡、横縞、縦縞、斜め縞、一点鎖線による縞、二点鎖線による縞、縞の線の太さの相違、縞の濃淡、バーコード、数字、文字、マークの中の２以上を含む、
ことを特徴とする判別表示を有する原画による刺繍模様入力装置。
【請求項２】
画像データから刺繍縫いデータを得るための刺繍模様入力装置であって、
色に対応する形状的な判別表示を有する原画の所定の判別表示とそれに関連する画像を読み取り、該判別表示情報を含む画像データを出力する画像入力手段と、
該原画の画像を前記判別表示毎に複数段階で読み取って得た前記画像データを該判別表示に関連して記憶する手段と、
前記画像データの各判別表示に対する縫い色を指定する手段と、
前記画像データを縫い目データに変換する手段と、
該変換された縫い目データを前記指定された縫い色に関連して記憶する手段と、を備え、
前記判別表示が、塗りつぶし、点、点の濃淡、横縞、縦縞、斜め縞、一点鎖線による縞、二点鎖線による縞、縞の線の太さの相違、縞の濃淡、バーコード、数字、文字、マークの中の２以上を含む、
ことを特徴とする判別表示を有する原画による刺繍模様入力装置。
【請求項３】
前記画像データと、前記指定する手段により指定した縫い色とに基づいて縫い画像を表示する手段、
を更に備えた請求項１又は請求項２のいずれか１項に記載の判別表示を有する原画による刺繍模様入力装置。
【請求項４】
前記指定する手段が各原色の比率を指定することにより、任意の色を指定できる、
請求項１乃至請求項３のいずれか１項に記載の判別表示を有する原画による刺繍模様入力装置。
【発明の詳細な説明】
【０００１】
【産業上の利用分野】
この発明は刺繍縫いミシンに刺繍縫いを行わせるための刺繍縫いデータを作成するための刺繍模様入力装置に関し、色等に対応した判別表示を有する原画を用いて多色の刺繍縫いを行える刺繍模様データを得る刺繍模様入力装置に関する。
【０００２】
【従来の技術】
刺繍縫いミシンの刺繍模様データを作成するに際し、原画をイメージスキャナ等の画像入力手段により取り込んで、これを刺繍縫いデータに変換する刺繍模様入力装置が知られている。そして、多色の模様などを得たい場合には、原画を色彩毎に複数枚用意し、その原画の位置を合せて各原画毎に多色画像入力装置により複数段階読み込んで、それぞれの段階の色を指定し、ミシンにより刺繍縫いする際に、読み込んだ段階毎に糸をかえて多色の刺繍縫いを実現する技術が既に提案され実現されている。
【０００３】
【発明が解決しようとする課題】
しかし、色彩毎に原画を複数枚用意し、しかもその位置合せをして読み取らせるのはユーザにとって多大な負担であり、作業が面倒である欠点があった。
本発明は上記した従来技術の問題点を解決することを目的とする。
【０００４】
【課題を解決するための手段】
上記目的を達成するために本発明の刺繍模様入力装置は、画像データから刺繍縫いデータを得るための刺繍模様入力装置であって、色に対応する形状的な判別表示を有する原画の画像データを与えるための手段と、前記判別表示毎に前記画像データを分離する手段と、該分離された各画像データに対する縫い色を指定する手段と、  前記画像データを縫い目データに変換する手段と、該変換された縫い目データを前記指定された縫い色に関連して記憶する手段と、を備え、前記判別表示が、塗りつぶし、点、点の濃淡、横縞、縦縞、斜め縞、一点鎖線による縞、二点鎖線による縞、縞の線の太さの相違、縞の濃淡、バーコード、数字、文字、マークの中の２以上を含む、ことを特徴とすることを特徴とする。
また、前記分離する手段を設けずに、該原画の画像を前記判別表示毎に複数段階で読み取るようにすることも可能である。
【０００５】
【作用】
画像データを与えるための手段は画像の色等に対応する形状的な判別表示を有する原画の画像データを出力する。この画像データの各判別表示に対する縫い色を指定する手段により指定する。この画像データは縫い目データに変換され、記憶する手段に前記指定された縫い色に関連して記憶される。
【０００６】
【実施例】
以下本発明の実施例を図面に基づいて説明する。
図１において、この刺繍模様複数段階入力装置Ｘは、「画像データを与えるための手段」としてイメージスキャナ２を備えている。このイメージスキャナ２は入力装置本体Ａに接続され、これにより読み取られた画像データは図２に示す中央演算処理装置１に入力されるように構成されている。
【０００７】
ここで用意すべき原画には、画像と共に色等に対応する判別表示が付されている。例えば、図６に示す原画の例では、画像として花の形状が描かれており、判別表示として塗りつぶし、点、横縞、縦縞により各画像が分割して描かれている。
判別表示（以下パターンとする）としては、塗りつぶしや点の濃淡、斜め縞、一点鎖線や二点鎖線による縞、縞の線の太さや濃淡、バーコード、数字や文字或いはマーク等種々のものを使用することが可能であり、またこれらを任意に組み合わせて使用しても良く、画像の相違をそれぞれ分離して表し、且つそれが画像入力手段により読み取り可能であれば良い。
【０００８】
図６のパターンは色の相違を表しており、後に説明するようにそれぞれ縫い色の白、黄色、赤、緑等に対応させているが、縫い目の種類等に対応させることも可能である。
【０００９】
入力装置本体Ａにはガイド２４が備えられており、このガイド２４上に設定された原画載置部２５上にパターンを有する模様の原画を載置してイメージスキャナ２を該原画上を走行させることにより原画の画像を読み取るようになっている。このようなガイド２４を用いないでフリーに原画上を走行させて画像を読み取らせることも可能である。
なお、２０は画像読み取りを行うためのスキャナボタン、２１は読み取りの濃淡を調整するスキャナダイヤル、３１は後述する種々の表示を行う液晶表示器、３２は縫い目データ記憶手段６のＲＡＭカード取出しボタン、３３は電源スイッチである。
【００１０】
入力装置本体Ａには図３に示すように読取キー５０、記憶キー５１、パターン数入力キー５２、縫い色指定キー５４及びＲＧＢ入力キー５５等の複数のファンクションキーからなる操作指令部５が設けられており、操作者がこれらのキーを操作して、イメージスキャナ２を原画上を走行させることにより画像を読み取らせるようになっている。
即ち操作者が読取キー５０を操作すると、中央演算処理装置１が読み取りモードとなり、次いで原画のパターンの数をパターン数入力キー５２により入力するとそのパターン数信号がパターン数入力手段３に入力してパターン数が設定される。同時にパターン数に応じたパターンコードが設定され、これら信号が中央演算処理装置１に送られ、画像読み取りモードとなる。この時、画像データ記憶手段には各パターンに該当するパターンブロックが形成されるようになっている。また選定されたパターンを液晶表示器３１に表示して、選定パターンを確認できるようになっている。
【００１１】
上記操作を行った上で、イメージスキャナ２のスキャナボタン２０を押しながらイメージスキャナ２を原画載置部２５上の原画上を走行させることにより、該原画の画像及びパターンがイメージスキャナ２に読み取られるようになっている。
【００１２】
読み取られたパターンデータを伴う画像データは順次中央演算処理装置１に送られ、中央演算処理装置１は該画像データを画像データ記憶手段１１に記憶させるように構成されている。
【００１３】
画像の読み取りが完了すると、「画像データを分離する手段」である画像データ分割手段４が該画像データを読み込んで、該画像データを前記パターン（判別表示）に基づいて分割するようになっている。図６の例ではパターンＰ1の判別データに基づいて、このパターンＰ1に所属するパターンデータを有する画像データを探して、それに該当する画像データを画像データ記憶手段１１におけるパターンＰ1のパターンブロックに記憶するようになっている。
そしてＰ2、Ｐ3、Ｐ4まで同様な作業をおこない、画像データ記憶手段の画像データをＰ1からＰ4までのパターンブロックに分離して格納するようになっている。
なお、画像データの分割は所定のビットブロック単位毎に行う等、種々の方法で可能である。
【００１４】
次いで、記憶キー５１が操作されると中央演算処理装置１は縫い目データ変換プログラム記憶手段１０からのプログラム命令に従って、画像データ記憶手段１１に記憶された、各カラーブロック毎の画像データをミシンの刺繍模様の縫い目データに変換した上で、縫い目データ記憶手段６に入力するようになっている。この時、該画像データは該パターンブロックのパターンコードに対応づけされて記憶される。
【００１５】
縫い色指定キー５４は実際に縫う時の色を指定するためのキーであり、このキーを操作することにより、「縫い色を指定する手段」である縫い色指定手段７がパターン毎に対応して記憶された画像データの実際の縫い色を指定できるように構成されている。この際、該縫い色の画像が「縫い画像を表示する手段」である画像表示手段８により液晶表示器３１に表示される。いま例えば、図６に示すようなＰ1ーーーＰ4の各パターンを有する原画をイメージスキャナ２により読み取り、該パターン毎に画像データ記憶手段１１に記憶されているとする。ここで、図６のパターンを実際の縫い色としては図示する指定色のように変更したいとする、縫い色指定キー５４を操作して縫い色指定手段７により各画像データの実際の縫い色を指定できるようになっている。図６の例では、原画の横縞を白に、点を黄色に、縦縞を赤、塗りつぶしを緑にそれぞれ縫い色として指定している。その結果図７のような刺繍縫いが実現できるようになっている。
縫い色指定手段７は図３に示すようにＲＧＢ入力キー５５を備えており、縫い色の指定の際に３原色を個々に入力することにより所望の色を合成し、これを画像表示手段８により液晶表示器３１に表示しつつ指定できるようになっている。これにより、色指定の自由度が向上し、自由な色のデザインを行える利点がある。
【００１６】
この縫い色指定手段７の指定後に、記憶キー５１が操作されると、中央演算処理装置１は縫い目データ変換プログラム記憶手段１０からのプログラム命令に従って「縫い目データに変換する手段」として機能し、画像データ記憶手段１１に記憶された画像データをミシンの刺繍模様の縫い目データ及び表示データに変換した上で、該指定縫い色と縫い目データ及び表示データとを対応づけて「縫い色に関連して記憶する手段」である縫い目データ記憶手段６に入力するようになっている。該表示データはミシン本体の表示部における画像表示に用いられる。
【００１７】
縫い目データ記憶手段６はこの実施例ではＲＡＭカードになっており、図１に示すように入力装置本体ＡのＲＡＭカードスロット３０に装脱着可能になっている。縫い目データ及び表示データを記憶した縫い目データ記憶手段６を入力装置本体Ａから取り外して、これを図５に示す刺繍ミシン本体ＹのＲＡＭカード読取部３５に装着すれば、表示データによりミシン本体Ｙの表示部に縫い画像がカラー表示され、操作者が所望の模様を選択できるようになっている。そして、ミシンの所定の操作を行えば、選択された該縫い目データ記憶手段６に記憶された刺繍模様が呼び出され、その縫い目データに従い、且つ指定された縫い色に従って刺繍ミシン本体Ｙが作動し、前記原画と同一の模様で縫い色指定手段７により指定された色彩の模様が刺繍縫い目として実現できるように構成されている。
【００１８】
なお、この実施例では前記したように画像表示手段８が備えられており、画像データ記憶手段１１に格納された画像データを液晶表示器３１への表示データに変換し、該表示データを液晶表示器３１に送って、該パターンに対して指定された縫い色に基づいたカラー画像表示を行うようになっている。
【００１９】
図４により、動作を説明する。
操作者がパターン数入力キー５２を操作して所定のパターン数Ｎを入力すると（ステップ６０）、該パターン数に対応したパターンコードが設定され（ステップ６１）、中央演算処理装置１は画像読み取りモードとなる。
次に操作者が入力装置本体Ａの読取キー５０を押し、イメージスキャナ２のスキャナボタン２０を押しながらイメージスキャナ２を原画上を走行させると、イメージスキャナ２は原画の画像とパターンを順次読み込んで、その画像データ及びパターンデータを中央演算処理装置１に送る（ステップ６２）。この画像データは画像データ記憶手段１１に記憶される（ステップ６３）。
【００２０】
読み取りが完了したら、画像データ分割手段４はＮｉ＝１、Ｐｉ＝１とおいた上で（ステップ６４）、画像データ記憶手段１１からパターンデータを含む画像データを読み出し、該データの所定のビットブロック毎にＰ1の判別データを適用してＰ1のパターンに属するデータを抽出する（ステップ６５）。そして、ＮｉとＰｉをインクリメントし（ステップ６６）、順次Ｐｉのパターンに属するデータを抽出して、画像データをパターンコードに対応して画像データ記憶手段に格納する。前記設定した色数Ｎになるまで上記動作を繰り返す（ステップ６７、６８、６９）。
【００２１】
全パターンＮに関して読み取りが完了したら、縫い色指定キー５４の操作に応じて縫い色の指定を実行する（ステップ７０）。例えば、前記した図６の例ではパターンＰ1に対して指定縫い色が白、Ｐ2に対して黄色、Ｐ3に対して赤、Ｐ4に対して緑と指定を実行する。この際ＲＧＢ入力キー５５により任意の色を指定しても良い。この指定された色に基づいて、画像表示手段８は画像データ記憶手段１１の画像データを液晶表示器３１に送ってカラー表示する（ステップ７１）。操作者が該指定色を確認後（ステップ７２）、記憶キー５１を操作したら、中央演算処理装置１は縫い目データ変換プログラム記憶手段１０のプログラムに従って、画像データ記憶手段１１に格納したパターン毎の画像データを縫い目データ及び表示データに変換して（ステップ７３）、この縫い目データ及び表示データを指定された縫い色コードに対応させて縫い目データ記憶手段６に格納する（ステップ７４）。
以上により、パターンで分割表示された画像を有する１枚の原画から任意の色を指定した色付きの画像の縫い目データを得ることができる。
【００２２】
次に上記実施例の装置の使用方法を説明する。
最初に電源スイッチ３３をオンした後、ＲＡＭカードスロット３０に縫い目データ記憶手段６を装入しておく。そして、パターン数入力キー５２を押してパターン数を設定する。パターン数の設定により、これに対応したパターンコードが設定される。同時に、画像データ記憶手段１１に各パターンのブロックが形成される。
そして前記したパターンにより分割された画像を有する原画を用意し、ガイド２４の原画載置部２５（或いは他の適所）に原画を置き、図２に示すようにガイド２４の上端にイメージスキャナ２を置き読取キー５０を操作した上で、スキャナボタン２０を押しながらイメージスキャナ２を下端まで移動させる。これにより画像読取部２２が原画載置部２５の上を上端から下端まで走査して原画載置部２５上の原画の画像とパターンとを読み取る。
【００２３】
イメージスキャナ２による読み取り中に、該画像データは画像データ分割手段４によりパターンのブロック毎に分離され、画像データ記憶手段１１に格納される。
【００２４】
イメージスキャナ２による読み取りが完了したら、縫い色指定キー５４を操作して各パターンに対する縫い色の指定を行う。この時液晶表示器３１に該指定色の画像が表示されるから、具体的な色付き画像を見ながら、色の指定及び変更などが可能である。またＲＧＢ入力キー５５により任意の色を指定することも可能である。
縫い色指定が終わったら、記憶キー５１を押すことにより画像データは縫い目データと表示データに変換され、且つ指定色と対応づけられて縫い目データ記憶手段６に格納される。
全ての段階が終了したら、操作者はＲＡＭカード取出しボタン３２を押して、縫い目データ記憶手段６を入力装置本体Ａから取り出し、刺繍ミシン本体ＹのＲＡＭカード読取部３５に縫い目データ記憶手段６を装着して刺繍ミシン本体Ｙを操作することにより多色の原画に対応した画像を、指定した縫い色で刺繍模様縫いを行うことができる。この際、ミシン本体Ｙの表示部には、所定の操作により表示データに基づく色付きの画像表示がなされて、具体的なカラー画像をみながら、模様選択を行うことができる。
【００２５】
なお、上記実施例ではパターン数入力手段３、画像データ分割手段４、縫い色指定手段７、画像表示手段８等を中央演算処理装置１と独立して構成しているが、これに限定されるものではなく、中央演算処理装置１と一体的に構成することも可能である。
【００２６】
また上記実施例では刺繍模様複数段階入力装置Ｘが刺繍ミシン本体Ｙとは別体に構成されているものについて説明したが、ガイド２４、原画載置部２５を除く入力装置本体Ａを刺繍ミシン本体Ｙに組み込み、イメージスキャナ２を刺繍ミシン本体Ｙに接続するように構成することも可能である。この場合縫い目データ記憶手段６を上記実施例と同様に挿脱可能なカード型に構成することも可能であるし、また刺繍ミシン本体Ｙに内蔵されたメモリとして構成することも可能である。
【００２７】
以上説明した実施例によれば、パターンにより分割表示された原画から１回の読み取り操作により、多色の縫い目データを得ることができる。そのため、複数の原画を用意する必要がなく、またイメージスキャナ２は色を読み取る必要がないので、コストを低減できる等の効果がある。
【００２８】
図８に他の実施例を示す。この実施例では画像データ分割手段４を備えず、読み取りの際に各パターン毎にイメージスキャナ２により読み取りを行うことにより、画像データを分離して入力しようとするものである。この場合イメージスキャナ２としては、パターン毎に選別して入力可能なものを使用する必要があり、例えばパターンとして塗りつぶしの濃淡により画像を分割し、各濃度毎にイメージスキャナ２により読み取らせる等の構成とすることができる。
【００２９】
図８において操作者が原画の色の数を読取パターン数入力キー５２により入力し、更に読取パターン選定手段９により読み取るパターンを選定すると、読取パターンの指定がなされ、該信号が中央演算処理装置１に送られ、該選定パターンの読み取りモードとなるように構成されている。
上記操作を行った上で、イメージスキャナ２のスキャナボタン２０を押しながらイメージスキャナ２を原画載置部２５上の原画上を走行させることにより、該原画の選定された読取パターンの画像がイメージスキャナ２に読み取られるようになっている。そして、読取パターン選定手段９を再度操作して次に読み取るパターンを指定して、同様に原画上をイメージスキャナ２を走行させることにより次のパターンの画像がイメージスキャナ２に読み取られる。このような操作をパターンの数だけ繰り返せば、画像データ分割手段４を用いることなく、パターン毎に画像を読み取り、パターン毎の画像データを得ることが出来るようになっている。
読み取られた画像データは順次中央演算処理装置１に送られ、中央演算処理装置１は該画像データを「判別表示に関連して記憶する手段」である画像データ記憶手段１１に記憶させるように構成されている。この時、該画像データは読取パターン選定手段４により選定された原画のパターンと対応づけされて記憶される。
【００３０】
図９により、動作を説明する。
操作者が入力装置本体Ａの読取キー５０を押し、読取パターン数入力キー５２を押してパターン数Ｎを設定すると（ステップ８０）、中央演算処理装置１はパターン数カウンタＮｉ＝１とおき（ステップ８１）、次いで読取パターン選定手段９を操作して読取パターンを選定する（ステップ８２）。そしてイメージスキャナ２のスキャナボタン２０を押しながらイメージスキャナ２を原画上を走行させると、イメージスキャナ２は原画の選定された読取パターン部分を順次読み込んで、その画像データを中央演算処理装置１に送る（ステップ８３）。この画像データは該読取パターンコードと関連付けられて画像データ記憶手段１１に記憶される（ステップ８４）。中央演算処理装置１はパターン数カウンタを１増加させ（ステップ８５）、設定したパターン数が終了するまで、各パターン毎に読み取りを実行させる（ステップ８６）。
【００３１】
全パターンに関して読み取りが完了したら、縫い色指定キー５４の操作に応じて、前記図６に示したように縫い色の指定を実行する（ステップ８７）。この際ＲＧＢ入力キー５５により任意の色を指定しても良い。この指定された色に基づいて、画像表示手段８は画像データ記憶手段１１の画像データを表示データに変換して、該画像を液晶表示器３１にカラー表示する（ステップ８８）。操作者が該指定色を確認後（ステップ８９）、記憶キー５１を操作したら、中央演算処理装置１は縫い目データ変換プログラム記憶手段１０のプログラムに従って、画像データ記憶手段１１に格納したデータを縫い目データに変換して（ステップ９０）、この縫い目データを指定された縫い色に対応させて縫い目データ記憶手段６に格納する（ステップ９１）。
【００３２】
以上説明した図８及び図９の実施例は、画像データ分割手段４を必要とせず、パターンにより分割して表示され画像を有する１枚の原画から任意の色を指定した色付きの画像の縫い目データを得ることができる。
【００３３】
【発明の効果】
以上説明したように本発明の刺繍模様入力装置は、色毎に異なる複数の原画を用意してこれらの位置合せを行う等の作業が必要がなく、判別表示を有する原画１枚を読み取ることにより、色情報を備えた縫い目データを作成できる。しかも、縫い色は所望の色を指定できる効果がある。
【図面の簡単な説明】
【図１】本発明の一実施例の外観を示す斜視図。
【図２】本発明の一実施例の構成を示す機能ブロック図。
【図３】本発明の一実施例における原画載置部２５を示す部分拡大図。
【図４】本発明の一実施例の動作を示すフローチャート図。
【図５】本発明の一実施例における縫い目データ記憶手段６が装着されるミシンの外観図。
【図６】本発明の一実施例における原画のパターンと指定色の関係の説明図。
【図７】指定色により表示された画像の一例の説明図。
【図８】本発明の他の実施例の構成を示す機能ブロック図。
【図９】本発明の他の実施例の動作を示すフローチャート図。
【符号の説明】
１：中央演算処理装置、２：イメージスキャナ、３：パターン数入力手段、４：画像データ分割手段、５：操作指令部、６：縫い目データ記憶手段、７：縫い色指定手段、８：画像表示手段、９：読取パターン選定手段、１０：縫い目データ変換プログラム記憶手段、１１：画像データ記憶手段、２０：スキャナボタン、２１：スキャナダイヤル、２４：ガイド、２５：原画載置部、３０：ＲＡＭカードスロット、３１：液晶表示器、３２：ＲＡＭカード取出しボタン、３３：電源スイッチ、３５：ＲＡＭカード読取部、５０：読取キー、５１：記憶キー、５２：パターン数入力キー、５４：ＲＧＢ入力キー。
【図１】
0003854642.tif 000002
【図５】
0003854642.tif 000003
【図２】
0003854642.tif 000004
【図３】
0003854642.tif 000005
【図４】
0003854642.tif 000006
【図６】
0003854642.tif 000007
【図７】
0003854642.tif 000008
【図８】
0003854642.tif 000009
【図９】
0003854642.tif 000010